(57)【特許請求の範囲】
【請求項１】
歯科用スリーウェイシリンジに液体及び気体を供給する液体及び気体の供給装置であって、
前記液体及び前記気体を貯留させるタンクであり、上端が開放したタンクと、
前記上端を着脱可能に閉鎖する頭部と、
前記タンクの上端寄りに開口し、前記気体を前記タンクの外方に導出させる気体導出開口と、
前記液体中に挿入され、前記液体を前記タンクから外方に導出させる液体導出チューブと、
前記頭部に設けられて、前記タンク内に連通する連通孔と、
前記気体が圧縮充填されたボンベであり、前記連通孔に連結されるガスボンベとを備え、
前記液体導出チューブと前記気体導出開口とが、それぞれ前記歯科用スリーウェイシリンジに連結されることを特徴する歯科用液体気体供給装置。
【請求項２】
前記液体導出チューブから延設されて前記歯科用スリーウェイシリンジに接続される液体供給チューブと、前記気体導出開口から延設されて前記歯科用スリーウェイシリンジに接続される気体供給チューブとを備えることを特徴とする請求項１記載の歯科用液体気体供給装置。
【請求項３】
前記頭部は、把手部を備えることを特徴とする請求項１又は２記載の歯科用液体気体供給装置。
【請求項４】
前記タンクは、前記液体の液面を視認可能な液面視認部を備えることを特徴とする請求項１〜３のいずれかに記載の歯科用液体気体供給装置。
【請求項５】
前記タンク又は前記頭部は、前記ガスボンベを保持するガスボンベ保持部を備えることを特徴とする請求項１〜４のいずれかに記載の歯科用液体気体供給装置。
【請求項６】
請求項１〜５のいずれかに記載の歯科用液体気体供給装置に、前記歯科用スリーウェイシリンジを連結してなる歯科用携帯洗浄装置。
【発明の詳細な説明】
【技術分野】
【０００１】
本発明は、歯科用スリーウェイシリンジに、液体及び気体を供給する歯科用液体気体供給装置に関し、特に持運びが容易な歯科用液体気体供給装置及びこれを備える歯科用携帯洗浄装置に関する。
【背景技術】
【０００２】
従来、歯科用スリーウェイシリンジは、歯科処置に際して歯牙に水やスプレーを吹き付けて歯牙を洗浄・清掃したり歯牙に空気を噴射したりするために使用される。この歯科用スリーウェイシリンジは、水等の液体及び気体の供給が必要とする。これらの水や気体を供給する液体気体供給機構は、歯科医院等では、例えば院内の水配管や、コンプレッサー等を含んで構築される。そのため、このような液体気体供給機構は、往診等際の運搬に適していない。
【０００３】
ところが、最近では、例えば高齢者等の増加に伴い、自宅や高齢者施設等への往診のニーズが高まっている。このようなニーズに対応するため、容易に持運びできる歯科用処置器具に関し種々の提案がされている（例えば特許文献１参照）。
【先行技術文献】
【特許文献】
【０００４】
【特許文献１】特開２０００−３００５８１号公報
【発明の概要】
【発明が解決しようとする課題】
【０００５】
特許文献１によれば、車輪２を備えた移動可能なカート１上に酸素ボンベ３と電動ポンプ５を有する水タンク４を載置固定し、前記酸素ボンベ３は減圧弁６を介してホース７により切削用エアータービン８に連結し且つ前記水タンク４の電動ポンプ５も同様にホース９によって切削用エアータービン８に連結してなる歯科用切削タービンが開示されている。
【０００６】
また、特許文献１の歯科用切削タービンによれば、水を電動ポンプにより切削用エアータービンに供給する構成であるため、例えば電源やポンプ等が必要とすることから、構造が複雑で重量も重くなる虞があり、携帯性の点で改善の余地が残されている。
【０００７】
そこで、本発明は、このような実情に鑑みてなされたものであり、その目的は、極めて簡単な構造で、携帯性に優れる歯科用液体気体供給装置及びこれを備える歯科用携帯洗浄装置を提供することにある。
【課題を解決するための手段】
【０００８】
請求項１の発明は、歯科用スリーウェイシリンジに液体及び気体を供給する液体及び気体の供給装置であって、前記液体及び前記気体を貯留させるタンクであり、上端が開放したタンクと、前記上端を着脱可能に閉鎖する頭部と、前記タンクの上端寄りに開口し、前記気体を前記タンクの外方に導出させる気体導出開口と、前記液体中に挿入され、前記液体を前記タンクから外方に導出させる液体導出チューブと、前記頭部に設けられて、前記タンク内に連通する連通孔と、前記気体が圧縮充填されたボンベであり、前記連通孔に連結されるガスボンベとを備え、前記液体導出チューブと前記気体導出開口とが、それぞれ前記歯科用スリーウェイシリンジに連結されることを特徴する、歯科用液体気体供給装置である。
【０００９】
請求項２の発明は、請求項１記載の歯科用液体気体供給装置において、前記液体導出チューブから延設されて前記歯科用スリーウェイシリンジに接続される液体供給チューブと、前記気体導出開口から延設されて前記歯科用スリーウェイシリンジに接続される気体供給チューブとを備えることを特徴とする。
【００１０】
請求項３の発明は、請求項１又は２記載の歯科用液体気体供給装置において、前記頭部は、把手部を備えることを特徴とする。
【００１１】
請求項４の発明は、請求項１〜３のいずれかに記載の歯科用液体気体供給装置において、前記タンクは、前記液体の液面を視認可能な液面視認部を備えることを特徴とする。
【００１２】
請求項５の発明は、請求項１〜４のいずれかに記載の歯科用液体気体供給装置において、前記タンク又は前記頭部は、前記ガスボンベを保持するガスボンベ保持部を備えることを特徴とする。
【００１３】
請求項６の発明は、請求項１〜５のいずれかに記載の歯科用液体気体供給装置に、前記歯科用スリーウェイシリンジを連結してなる、歯科用携帯洗浄装置である。
【発明の効果】
【００１４】
本発明によれば、歯科用スリーウェイシリンジに液体及び気体を供給する液体及び気体の供給装置であって、前記液体及び前記気体を貯留させるタンクであり、上端が開放したタンクと、前記上端を着脱可能に閉鎖する頭部と、前記タンクの上端寄りに開口し、前記気体を前記タンクの外方に導出させる気体導出開口と、前記液体中に挿入され、前記液体を前記タンクから外方に導出させる液体導出チューブと、前記頭部に設けられて、前記タンク内に連通する連通孔と、前記気体が圧縮充填されたボンベであり、前記連通孔に連結されるガスボンベとを備え、前記液体導出チューブと前記気体導出開口とが、それぞれ前記歯科用スリーウェイシリンジに連結される構成であるから、ガスボンベ内の気体の圧力でタンク内を加圧し、液体を液体導出チューブから押出しつつ歯科用スリーウェイシリンジに供給するとともに、その気体が気体導出開口を介して歯科用スリーウェイシリンジに供給されるため、極めて簡単な構造で形成でき、携帯性に優れる歯科用液体気体供給装置を提供できる。
【００１５】
また、前記液体導出チューブから延設されて前記歯科用スリーウェイシリンジに接続される液体供給チューブと、前記気体導出開口から延設されて前記歯科用スリーウェイシリンジに接続される気体供給チューブとを備える構成であるから、歯科用スリーウェイシリンジに容易に連結可能な歯科用液体気体供給装置を提供できる。
【００１６】
また、前記頭部は、把手部を備える構成であるから、持運びが更に容易な歯科用液体気体供給装置を提供できる。
【００１７】
また、前記タンクは、前記液体の液面を視認可能な液面視認部を備える構成であるから、前記タンクの液面が前記気体導出部を越えない様にタンク内に注水できる等、利便姓が高い歯科用液体気体供給装置を提供できる。
【００１８】
また、前記タンク又は前記頭部は、前記ガスボンベを保持するガスボンベ保持部を備える構成であるから、タンク或いは頭部に設けられた保持部でガスボンベを保持できるので、ガスボンベがブラブラした状態になることもなく、更に持運びし易い携帯性に優れる歯科用液体気体供給装置を提供できる。
【００１９】
また、上述した歯科用液体気体供給装置に、前記歯科用スリーウェイシリンジを連結してなる、歯科用携帯洗浄装置であるから、極めて簡単な構造で携帯性に優れる歯科用携帯洗浄装置を提供できる。
【図面の簡単な説明】
【００２０】
【図１】本発明の実施形態に係る歯科用携帯洗浄装置の斜視説明図である
【図２】本発明の実施形態に係る歯科用携帯洗浄装置の動作を説明する一部断面説明図である
【図３】本発明の実施形態に係る歯科用液体気体供給装置の第１変形例の斜視説明図である。
【図４】本発明の実施形態に係る歯科用液体気体供給装置の第２変形例の斜視説明図である。
【図５】本発明の実施形態に係る歯科用液体気体供給装置の第３変形例の斜視説明図である。
【発明を実施するための形態】
【００２１】
本発明の好適な実施形態の例について、図を用いて説明する。
本実施形態の歯科用携帯洗浄装置１０は、図１及び図２に示す様に、歯科用スリーウェイシリンジ１２と、歯科用液体気体供給装置１４とを備える。
先ず、歯科用スリーウェイシリンジ１２は、歯科処置等の際に用いられる公知のスリーウェイシリンジで形成される。具体的には、図１に示す様に、歯科用スリーウェイシリンジ１２は、グリップ部２６の中にメカバルブ（図示せず。）を備え、例えばボタン２０の操作でノズル２４の先端から液体が噴出し、ボタン２２の操作でノズル２４の先端から気体が噴出し、ボタン２０とボタン２２とを同時に操作すると液体と気体が同時に噴出する構成となっている。なお、本実施形態において、液体として水を用いているが、液体は水に限らず、水に含口剤或いは洗口液を水溶液であっても良い。また、気体として、炭酸ガスを用いているが、気体は炭酸ガスに限らず、例えば空気等の他の気体であっても良い。
【００２２】
次に、本実施形態の要部である、歯科用液体気体供給装置１４は、図１及び図２に示す様に、タンク２８と、気体導出部３２と、頭部３０と、液体導出チューブ３４と、ガスボンベ３８と、気体供給チューブ１８と、液体供給チューブ１９と、を備える。
本実施形態のタンク２８は、例えばステンレス等の金属で形成され、図１及び図２に示すように、液体貯留部２８ａと、口部２８ｂとを有し、後述する様に水及び炭酸ガスを貯留させる。
【００２３】
液体貯留部２８ａは、図１及び図２に示すように、例えば両手で把持可能な程度の大きさで、上端が開放した有底中空円筒状で形成される。
また、口部２８ｂは、図２に示す様に、液体貯留部２８ａの直径より縮径しつつ液体貯留部２８ａの上端に延設される部分であり、液体貯留部２８ａと一体に形成される。従って、タンク２８は、図２に示すように、その上端３３が開放したボトル状に形成される。そして、口部２８ｂには、後述する頭部３０を、着脱可能に螺合させる螺子２９（図２参照）が、外周に穿設される。
なお、タンクは、本実施形態のボトル状に限るものではなく、上端が開放した中空円筒状或いはフラスコ状に形成されてもよい。
【００２４】
また、気体導出部３２は、図１及び図２に示すように、液体貯留部２８ａの側面の上端寄りに開口される気体導出開口３２ａと、気体導出開口３２ａに取り付けられて、後述する気体供給チューブ１８を連結させるＬ字状のアングルパイプ部材３２ｂとを含む。そして、タンク２８内の炭酸ガスＧは、気体導出開口３２ａからタンクの外方に導出されるが、この点については再述する。
【００２５】
次に、本実施形態の頭部３０は、図１及び図２に示す様に、蓋部３１，ベース部４２，柱状部４４，把手部４６，連通孔４８，縦貫通孔５０等を備える。
蓋部３１は、図１及び図２に示すように、例えば中空円板状に形成され、その中空の内周が上述した口部２８ｂの螺子２９に気密状に螺合する。このように、蓋部３１は、タンク２８の上端３３を着脱可能に閉鎖する（図２参照）。
また、ベース部４２は、図１及び図２に示すように、例えば蓋部３１の略半分の直径を有する円柱状の中空ブロック４２ａと、中空ブロック４２ａ上に延設される円錐台状ブロック４２ｂとで一体に形成される。そして、ベース部４２は、図１及び図２に示すように、蓋部３１の中央部に、蓋部３１と平面視同心円状に配置され、蓋部３１上に立設される。なお、本実施形態のベース部４２は、図１及び図２に示すように、その中空部４３を大気に連通させる公知のリリーフバルブ５１を備える。但し、リリーフバルブ５１は、蓋部３１に備えられていても良い。
【００２６】
また、柱状部４４は、図１及び図２に示す様に、例えば円錐台状ブロック４２ｂの上端と略同じ直径を有する円柱部材で形成され、その上端部側面に螺子が周設される。そして、柱状部４４は、平面視でベース部４２と同心円状になるようにベース部４２上端に配置され、ベース部４２から立設される。
なお、本実施形態において、蓋部３１、ベース部４２並びに柱状部４４は一体に形成されるが、例えばベース部４２と柱状部４４とを一体に形成し、螺子等で蓋部３１と着脱可能に連結させても良い。
【００２７】
また、把手部４６は、図１及び図２に示す様に、ドーナツ状部材４６ａと、把持部材４６ｂとを含む。ドーナツ状部材４６ａは、図１及び図２に示すように、中空ブロック４２ａと同じ直径のリング状部材で形成され、柱状部４４の中途に嵌合配置され、例えば溶接等で取り付けられる。把持部材４６ｂは、図１及び図２に示すように、ドーナツ状部材４６ａから横方向に延設される棒状部材で形成される。
なお、把手部は、本実施形態の構成に限るものではなく、例えば内側に手を挿入可能な略コ字状部材を把手部とし、略コ字状の両端を柱状部４４の側面に連結させて形成してもよい。
【００２８】
また、連通孔４８は、図２に示す様に、頭部３０に設けられる貫通孔であり、例えばベース部４２の円錐台状ブロック４２ｂの側面に一方の開口４８ａを有し、蓋部３１の上面に他方の開口４８ｂを有する略逆Ｌ字状の貫通孔で形成される。この様に、連通孔４８は、頭部３０に設けられて、タンク２８内に連通する。
なお、本実施形態において、連通孔４８の中途は、上述したベース部４２の中空部４３と連通する。そして、本実施形態において、開口４８ａに、後述するガスチューブ３９を連結させる連結部材４９が取り付けられている。
【００２９】
また、縦貫通孔５０は、上述した連通孔４８とは別の貫通孔であり、例えば頭部３０の平面視中央部を縦方向に貫通する貫通孔で形成される。この縦貫通孔５０に後述する液体導出チューブ３４が、挿入されて取り付けられる。
なお、本実施形態の頭部３０は、例えば合成樹脂製で形成されるが、合成樹脂製に限らず、ステンレス製等の金属製で形成されても良い。
【００３０】
次に、液体導出チューブ３４は、図２に示す様に、例えば縦貫通孔５０に嵌合可能な直径と、頭部３０をタンク２８に装着した状態で、略頭部３０の上端から、タンク２８の略下端までの長さを有する合成樹脂製の管部材で形成される。そして、液体導出チューブ３４は、図２に示すように、縦貫通孔５０に挿入され、柱状部４４の上端部の螺子と螺合するチューブ継手部材５２及びパッキング部材（図示せず。）により、縦貫通孔５０が気密状態となる態様で、頭部３０に取り付けられる。
【００３１】
従って、液体導出チューブ３４を頭部３０に取り付けた状態で、頭部３０をタンク２８に装着すると、図２に示すように、液体導出チューブ３４の下端側は水の中に挿入される。なお、本実施形態の液体導出チューブ３４は、図１及び図２に示すように、上端３４ｂが略逆Ｌ字状に折曲して形成される。
また、液体導出チューブ３４は、本実施形態のように頭部３０に取り付けられる態様に限るものではなく、縦貫通孔５０に替え、例えばタンクの口部２８ｂ近傍に開口を設け、その開口に液体導出チューブ３４を嵌合させつつ気密状に取り付け、下端側を、水（Ｗ）中に挿入させる態様でもよい。
【００３２】
次に、本実施形態のガスボンベ３８は、図１及び図２に示すように、例えばタンク２８の大きさの略１０分の１程度の大きさの円筒状で、炭酸ガスが圧縮充填された圧力ボンベで形成される。図１及び図２に示すように、ガスボンベ３８は、その頭部に気体噴出口３８ａと、開閉コック３８ｂを備えており、開閉コック３８ｂを開くことで、炭酸ガスが気体噴出口３８ａから噴出する。そして、ガスボンベ３８の気体噴出口３８ａが、図１及び図２に示すように、ガスチューブ３９を介して連結部材４９に接続され、連通孔４８に連通連結される。
【００３３】
次に、液体供給チューブ１９は、水が通過可能な径で、可撓性・柔軟性を有するチューブ部材で形成される。そして、液体供給チューブ１９は、図１及び図２に示すように、一端を液体導出チューブ３４の上端（３４ｂ）に連結され、他端を歯科用スリーウェイシリンジ１２の液体用連結部（図示せず。）に連結される。
【００３４】
次に、気体供給チューブ１８は、炭酸ガスが通過可能な径で、可撓性・柔軟性を有するチューブ部材で形成される。そして、気体供給チューブ１８は、図１及び図２に示すように、一端をアングルパイプ部材３２ｂに連結され、他端を歯科用スリーウェイシリンジ１２の気体用連結部（図示せず。）に連結される。
このように、液体導出チューブ３４と気体導出開口３２ａとが、それぞれ歯科用スリーウェイシリンジ１２に連結される
【００３５】
このように形成される、歯科用携帯洗浄装置１０を持運びする際は、把持部材４６ｂを手で把持して容易に持運びできる。
そして使用の際は、先ず頭部３０をタンク２８から取り外しして口部２８ｂから水Ｗをタンク２８内に注水する。次に、頭部３０を口部２８ｂに螺着させる。そして、ガスボンベ３８の開閉コック３８ｂを開くと、図２に示すように、ガスボンベ３８から炭酸ガスＧが、ガスチューブ３９から連通孔４８を通過してタンク２８内に送気され、タンク２８内の空間５４が加圧される。そうすると、水Ｗが液体導出チューブ３４の下端３４ａから、液体導出チューブ３４の上端３４ｂ、そして液体供給チューブ１９を経て歯科用スリーウェイシリンジ１２に供給される。
【００３６】
一方、炭酸ガスＧは、気体導出部３２から気体供給チューブ１８を経て歯科用スリーウェイシリンジ１２に供給される。以下、歯科用スリーウェイシリンジ１２のボタン（２０，２２）操作により、炭酸ガス及び／又は水をノズル２４先端から噴出できる。
【００３７】
ここで、気体導出開口３２ａは、タンク２８の上端寄りに設けられるため、頭部３０に気体導出開口３２ａを設けた場合より、気体（炭酸ガス）が、タンク２８内に進入し易く、タンク２８内を効率良く加圧できるとともに、歯科用スリーウェイシリンジ１２のボタン２２を操作した際の、ガスボンベ３８内の気体（炭酸ガス）の減少スピードを押さえることができる。
【００３８】
この様に、本実施形態によれば、部品点数が極めて少なく、簡単な構造で、軽量コンパクトな歯科用液体気体供給装置１４を実現でき、往診等際の携帯に好適な歯科用携帯洗浄装置を提供できる。
【００３９】
次に、本発明の実施形態の第１変形例に係る歯科用液体気体供給装置６０について、図３を用いて説明する。歯科用液体気体供給装置６０と、上述した歯科用液体気体供給装置１４との主な相違点は、液面視認部６１にあり、以下、歯科用液体気体供給装置１４と同様な部材には同じ符号或いは同じ符号に「´」を設けた符号を付し、その説明を省略する。
本変形例における液面視認部６１は、図３に示すように、液体貯留部２８ａの側面に縦方向に開口する縦スリット６２と、縦スリット６２を覆う透明部材６３とを備える。従って、本変形例の歯科用液体気体供給装置６０によれば、水の残量が少なくなったことが、直ちに視認できるため、水量の管理に適した、利便性の高い歯科用携帯洗浄装置を提供できる。
【００４０】
次に、本発明の実施形態の第２変形例に係る歯科用液体気体供給装置６５について、図４を用いて説明する。歯科用液体気体供給装置６５と、上述した歯科用液体気体供給装置１４との主な相違点は、ガスボンベ３８を保持するガスボンベ保持部６６を備える点であり、以下、歯科用液体気体供給装置１４と同様な部材には同じ符号或いは同じ符号に「´」を設けた符号を付し、その説明を省略する。
本実施形態におけるガスボンベ保持部６６は、図４に示すように、受部材６６ａと、係止部材６６ｂとを備える。
【００４１】
受部材６６ａは、図４に示すように、例えばガスボンベ３８の底部を載置させる金属製の皿状部材で形成され、タンク２８の側面の下端寄りに溶接等で取り付けられる。
また、係止部材６６ｂは、図４に示すように、例えばガスボンベ３８の外径と略同じ内径を有する略Ｃ字状金属部材で形成され、受部材６６ａの上方のタンク２８側面に溶接等で取り付けられる。そして、図４に示すように、受部材６６ａは、ガスボンベ３８を底部から支持し、係止部材６６ｂは、ガスボンベ３８の高さ方向の中間を保持する。
【００４２】
次に、本発明の実施形態の第３変形例に係る歯科用液体気体供給装置７０について、図５を用いて説明する。歯科用液体気体供給装置７０と、上述した歯科用液体気体供給装置６５との主な相違点は、ガスボンベ３８を保持するガスボンベ保持部６６´を、頭部３０に備える点であり、以下、歯科用液体気体供給装置６５と同様な部材には同じ符号或いは同じ符号に「´」を設けた符号を付し、その説明を省略する。
【００４３】
本実施形態におけるガスボンベ保持部６６´は、図５に示すように、例えば２個の係止部材６６ｂ，６６ｂ´を備える。そして、一方の係止部材６６ｂは、ドーナツ状部材４６ａの側部に溶着され、他方の係止部材６６ｂ´が、その下方で中空ブロック４２ａの側部に溶着される。
また、ガスボンベ３８は、図５に示すように、その円筒状部分が係止部材６６ｂ，６６ｂ´を通過しつつ、底部を蓋部３１の上面に載置させた状態で保持される。
このように、本変形例の歯科用液体気体供給装置７０によれば、ガスボンベ保持部６６´を頭部３０に備えることで、頭部３０をガスボンベ３８ごとタンク２８から取り外すことが出来る等、さらに取扱が容易な歯科用携帯洗浄装置を提供できる。
【００４４】
これまで説明した様に、本実施形態の歯科用液体気体供給装置１４，６０，６５，７０によれば、極めて簡単な構造で、しかも持運びを容易に行うことが可能なことから往診の際に携帯しやすい歯科用液体気体供給装置及びこれを備える歯科用携帯洗浄装置１０を提供できる。
【００４５】
以上、本発明の実施形態のうちいくつかを図面に基づいて詳細に説明したが、これらはあくまでも例示であり、当業者の知識に基づいて種々の変形、改良を施した他の形態で本発明を実施することが可能である。
【符号の説明】
【００４６】
１０  歯科用携帯洗浄装置
１２  歯科用スリーウェイシリンジ
１４，６０，６５，７０  歯科用液体気体供給装置
１８  気体供給チューブ
１９  液体供給チューブ
２８  タンク
３０  頭部
３２ａ  気体導出開口
３４  液体導出チューブ
３８  ガスボンベ
４８  連通孔
４６  把手部
６１  液面視認部
６６  ガスボンベ保持部
【要約】
【課題】極めて簡単な構造で、携帯性に優れる歯科用液体気体供給装置及びこれを備える歯科用携帯洗浄装置を提供する。
【解決手段】歯科用スリーウェイシリンジに液体及び気体を供給する液体及び気体の供給装置であって、前記液体及び前記気体を貯留させるタンクであり、上端が開放したタンクと、前記上端を着脱可能に閉鎖する頭部と、前記タンクの上端寄りに開口し、前記気体をタンクの外方に導出させる気体導出開口と、前記液体中に挿入され、前記液体を前記タンクから外方に導出する液体導出チューブと、前記頭部に設けられて、前記タンク内に連通する連通孔と、前記気体が圧縮充填されたボンベであり、前記連通孔に連結されるガスボンベとを備え、前記液体導出チューブと前記気体導出開口とが、それぞれ前記歯科用スリーウェイシリンジに連結される。
【選択図】図２【図１】
0005788118.tif 000002
【図２】
0005788118.tif 000003
【図３】
0005788118.tif 000004
【図４】
0005788118.tif 000005
【図５】
0005788118.tif 000006